(57)【要約】【課題】指先のより広い範囲を装飾することが可能であり、且つ指先から脱落しにくいネイルアクセサリーを提供する。【解決手段】人体の指先の形状に沿って湾曲させた薄板形状の弾性体であるベース部材１０に装飾が施され、人体の指先を覆うように装着されて当該指先を装飾するネイルアクセサリー１であって、装着された指先の爪を覆う領域であるネイル領域部Ａ１と、装着された指先の甲面においてネイル領域部Ａ１に隣接して指の根元方向に延設された領域である甲面拡大領域部Ａ２と、装着された指先の両側面のそれぞれにおいて甲面拡大領域部Ａ２に隣接して指の根元方向に延設された領域であるそれぞれの側面拡大領域部Ａ３、Ａ４と、を有しており、少なくとも甲面拡大領域部Ａ２と側面拡大領域部Ａ３、Ａ４に装飾が施されている。【選択図】図１
0003163013.tif 000002
【実用新案登録請求の範囲】
【請求項１】
人体の指先の形状に沿って湾曲させた薄板形状の弾性体であるベース部材に装飾が施され、人体の指先を覆うように装着されて当該指先を装飾するネイルアクセサリーにおいて、
装着された指先の爪を覆う領域であるネイル領域部と、
装着された指先の甲面において前記ネイル領域部に隣接して指の根元方向に延設された領域である甲面拡大領域部と、
装着された指先の両側面のそれぞれにおいて前記甲面拡大領域部に隣接して指の根元方向に延設された領域であるそれぞれの側面拡大領域部と、を有しており、
少なくとも前記甲面拡大領域部と前記側面拡大領域部に装飾が施されている、
ネイルアクセサリー。
【請求項２】
請求項１に記載のネイルアクセサリーであって、
前記甲面拡大領域部と、それぞれの前記側面拡大領域部と、のそれぞれの境界部における指の根元側のそれぞれの端部には、指の根元方向に延設されたそれぞれの最延設部が形成されており、
それぞれの前記最延設部は、ネイルアクセサリーを指先に装着して当該指先に最も近い側の関節である第１関節を曲げた際、装着している指の甲面側に前記最延設部が突出しないように、前記第１関節の近傍まで延設されている、
ネイルアクセサリー。
【請求項３】
請求項１または２に記載のネイルアクセサリーであって、
前記ベース部材は、装着された指をそれぞれの前記側面拡大領域部にて挟んで指先に保持されるように、人体の指先の形状に沿った湾曲形状に形成されている、
ネイルアクセサリー。
【請求項４】
請求項１〜３のいずれか一項に記載のネイルアクセサリーであって、
前記ベース部材は、装着された指先の爪と、当該爪と対向する前記ネイル領域部の裏面との間が接着されて指先に保持されるように、前記ネイル領域部の裏面の方が、前記甲面拡大領域部の裏面よりも指先に近くなるように形成されている、
ネイルアクセサリー。
【請求項５】
請求項１〜４のいずれか一項に記載のネイルアクセサリーであって、
前記ネイル領域部にも装飾が施されている、
ネイルアクセサリー。
【考案の詳細な説明】
【技術分野】
【０００１】
本考案は、人体の指先に装着して爪を含む指先を装飾するネイルアクセサリーに関する。
【背景技術】
【０００２】
近年では、人体の指先の爪を装飾する種々のネイルアクセサリー（いわゆる付け爪）が広く普及している。
例えば特許文献１に記載されている従来技術には、図３に示すように指先の爪部から指の両側面において指の根元方向に向かって指先の第１関節Ｊ１の位置を大きく超える装飾部ＬＬ、ＬＲを有する金属製の付け爪１００が開示されている。
また特許文献２に記載されている従来技術には、爪部を覆い、更に爪先方向に延設されている形状を有し、裏面には爪に固定するための粘着剤層（遠赤外線放射粉末を含有）を有する付け爪が開示されている。
【先行技術文献】
【特許文献】
【０００３】
【特許文献１】特開２０１０−１１０５６９号公報
【特許文献２】特開２００８−２７２３８０号公報
【考案の概要】
【考案が解決しようとする課題】
【０００４】
特許文献１に記載された従来技術では、図３に示すように指先の爪部分に加えて装飾部ＬＬ、ＬＲにて指先を装飾することができるが、装飾部ＬＬ、ＬＲが指Ｆの両側面において指Ｆの根元方向に向かって第１関節Ｊ１の位置を大きく超えて伸びているため、指先の第１関節Ｊ１を曲げた際に装飾部ＬＬ、ＬＲが指Ｆの甲面側に大きく突出し（図３（Ｄ）参照）、この突出した装飾部ＬＬ、ＬＲを引っ掛けやすく、付け爪１００が指先から脱落しやすい。
また特許文献２に記載された従来技術では、指先の爪部と爪先方向への延設部で構成されており、装飾範囲が比較的狭い。
本考案は、このような点に鑑みて創案されたものであり、指先のより広い範囲を装飾することが可能であり、且つ指先から脱落しにくいネイルアクセサリーを提供することを課題とする。
【課題を解決するための手段】
【０００５】
上記課題を解決するため、本考案に係るネイルアクセサリーは次の手段をとる。
まず、本考案の第１の考案は、人体の指先の形状に沿って湾曲させた薄板形状の弾性体であるベース部材に装飾が施され、人体の指先を覆うように装着されて当該指先を装飾するネイルアクセサリーである。
そしてネイルアクセサリーは、装着された指先の爪を覆う領域であるネイル領域部と、装着された指先の甲面において前記ネイル領域部に隣接して指の根元方向に延設された領域である甲面拡大領域部と、装着された指先の両側面のそれぞれにおいて前記甲面拡大領域部に隣接して指の根元方向に延設された領域であるそれぞれの側面拡大領域部と、を有しており、少なくとも前記甲面拡大領域部と前記側面拡大領域部に装飾が施されている。
【０００６】
この第１の考案では、指先の爪を覆うネイル領域部に加えて、甲面拡大領域部と側面拡大領域部とを備え、少なくとも甲面拡大領域部と側面拡大領域部に装飾が施されている。
これにより、指の爪のみを装飾する従来の付け爪と、指の付け根部分を装飾する従来の指輪と、の中間位置を装飾する新規な装飾品を提供することができ、指先のより広い範囲を装飾することができる。
【０００７】
次に、本考案の第２の考案は、上記第１の考案に係るネイルアクセサリーであって、前記甲面拡大領域部と、それぞれの前記側面拡大領域部と、のそれぞれの境界部における指の根元側のそれぞれの端部には、指の根元方向に延設されたそれぞれの最延設部が形成されている。
そして、それぞれの前記最延設部は、ネイルアクセサリーを指先に装着して当該指先に最も近い側の関節である第１関節を曲げた際、装着している指の甲面側に前記最延設部が突出しないように、前記第１関節の近傍まで延設されている。
【０００８】
この第２の考案によれば、指の根元方向に最も近い最延設部が、指先の第１関節の近傍まで延設されていることで、装飾範囲を広げながら適度な長さに抑えてあり、指先の第１関節を曲げてもネイルアクセサリーの一部（この場合、最延設部）が指の甲面側に突出しない。
これにより、指先のより広い範囲を装飾することが可能であるとともに、指先から脱落しにくいネイルアクセサリーを構成することができる。
【０００９】
次に、本考案の第３の考案は、上記第１の考案または第２の考案に係るネイルアクセサリーであって、前記ベース部材は、装着された指をそれぞれの前記側面拡大領域部にて挟んで指先に保持されるように、人体の指先の形状に沿った湾曲形状に形成されている。
【００１０】
この第３の考案によれば、左右の側面拡大領域部にて指先を挟み込んでネイルアクセサリーを指先に保持することができるので、指先から脱落しにくくすることができる。
【００１１】
次に、本考案の第４の考案は、上記第１の考案〜第３の考案のいずれか一項に係るネイルアクセサリーであって、前記ベース部材は、装着された指先の爪と、当該爪と対向する前記ネイル領域部の裏面との間が接着されて指先に保持されるように、前記ネイル領域部の裏面の方が、前記甲面拡大領域部の裏面よりも指先に近くなるように形成されている。
【００１２】
この第４の考案によれば、ネイル領域部の裏面と爪とを適切に接触させることができるので、ネイル領域部の裏面と爪とを接着する際、より適切に、爪にネイルアクセサリーを接着することができ、脱落しにくくすることができる。
【００１３】
次に、本考案の第５の考案は、上記第１の考案〜第４の考案のいずれか一項に係るネイルアクセサリーであって、前記ネイル領域部にも装飾が施されている。
【００１４】
この第５の考案によれば、ネイル領域部、甲面拡大領域部、側面拡大領域部に装飾を施すことで、爪部を含めて、爪部を超えた非常に広い範囲を装飾することができる。
【図面の簡単な説明】
【００１５】
【図１】本考案のネイルアクセサリー１の一実施の形態を説明する外観図である。
【図２】本考案のネイルアクセサリー１を指先に装着した状態を説明する図である。
【図３】従来のネイルアクセサリー１００を指先に装着した状態を説明する図である。
【考案を実施するための形態】
【００１６】
以下に本考案を実施するための形態を図面を用いて説明する。図１（Ａ）〜（Ｃ）は、本考案のネイルアクセサリー１の一実施の形態における外観図を示しており、図１（Ａ）は平面図、図１（Ｂ）は図１（Ａ）におけるＢ方向から見た図、図１（Ｃ）は斜視図を示している。
【００１７】
●［ネイルアクセサリー１の外観（図１）］
本考案のネイルアクセサリー１は、図１（Ａ）〜（Ｃ）に示すように、人体の指先の形状に沿って湾曲させた薄板形状（図１（Ｂ）参照）の弾性体であるベース部材１０が、人体の指先を覆うように装着されて（図２、図３参照）装着された指先を装飾する物品である。なお、薄板形状の弾性体であるベース部材１０の材質は、例えばポリエチレンテレフタレート（ＰＥＴ）である。
【００１８】
図１（Ａ）に示すように、本考案のネイルアクセサリー１は、ネイル領域部Ａ１と、甲面拡大領域部Ａ２と、側面拡大領域部Ａ３及びＡ４と、の４つの領域にて構成されている。
ネイル領域部Ａ１は、装着された指先の爪を覆う領域である。
甲面拡大領域部Ａ２は、装着された指先の甲面においてネイル領域部Ａ１に隣接して指の根元方向に延設された領域である。
側面拡大領域部Ａ３及びＡ４は、装着された指先の両側面のそれぞれにおいて甲面拡大領域部Ａ２に隣接して指の根元方向に延設されたそれぞれの領域である。
そして、少なくとも甲面拡大領域部Ａ２と側面拡大領域部Ａ３及びＡ４と、に装飾が施されており、爪の範囲を超えた広い範囲で指先を装飾することができる。
更に、ネイル領域部Ａ１にも装飾を施せば、非常に広い範囲で指先を装飾することが可能である。
【００１９】
また、甲面拡大領域部Ａ２と、図１（Ａ）における左側の側面拡大領域部Ａ３と、の境界部における指の根元方向の端部には、指の根元方向に延設された最延設部ＴＬが形成されている。同様に、甲面拡大領域部Ａ２と、図１（Ａ）における右側の側面拡大領域部Ａ４と、の境界部における指の根元方向の端部には、指の根元方向に延設された最延設部ＴＲが形成されている。
なお装飾は、ベース部材１０そのものに模様や形状で施されていてもよいし、ベース部材１０に他の装飾品（例えばビーズ）を接着剤等にて付加することで施されていてもよいし、ペイント等の塗料にて施されていてもよい。
【００２０】
●［ネイルアクセサリー１を指先に装着した状態（図２）］
次に図２（Ａ）〜（Ｄ）を用いて、ネイルアクセサリー１を指先に装着した状態について説明する。なお、図２（Ｃ）及び（Ｄ）では、ネイルアクセサリー１の装飾の記載を省略している。
図２（Ｂ）及び（Ｃ）に示すように、指先にネイルアクセサリー１を装着した際、指先に最も近い側の指Ｆの関節である第１関節Ｊ１の近傍まで最延設部ＴＬ、ＴＲが達するように、最延設部ＴＬ、ＴＲが延設されている。
最も指の根元方向に位置する最延設部ＴＬ、ＴＲが、第１関節Ｊ１を大きく超えることがないので、図２（Ｄ）に示すように、指Ｆの第１関節Ｊ１を曲げた際、最延設部ＴＬ、ＴＲは、指Ｆの甲面側に大きく突出することがない。このため、図３（Ｄ）に示す従来のネイルアクセサリー１００と比較して、指Ｆの第１関節Ｊ１を曲げても、うっかり引っ掛けてネイルアクセサリー１が指先から脱落しにくい。
【００２１】
また、ベース部材１０は、図１（Ｂ）に示すように、装着された指を側面拡大領域部Ａ３、Ａ４にて挟んでネイルアクセサリー１が指先に保持されるように、人体の指先の形状に沿った湾曲形状に形成されている。なおベース部材１０の湾曲形状は、標準的な人の指先の径よりもやや小さな径となる湾曲形状に形成されていると、保持力がより大きくなり、より脱落しにくい。
【００２２】
またベース部材１０は、装着された指先の爪と、この爪に対向するネイル領域部Ａ１の裏面Ａ１Ｍ（図１（Ｂ）参照）の間を接着剤にて接着することで、指先に保持するようにしてもよい。この場合、ネイル領域部Ａ１の裏面Ａ１Ｍの方が、甲面拡大領域部Ａ２の裏面よりも指先に近くなるように、ベース部材１０の裏面の形状が形成されていると、接着しやすく、より好ましい。また、裏面Ａ１Ｍの形状が、指先の爪の表面に沿うように形成されていると、接着面積がより広くなり、より好ましい。
【００２３】
以上に説明したように、本考案のネイルアクセサリー１は、ネイル領域部Ａ１に加えて甲面拡大領域部Ａ２、側面拡大領域部Ａ３、Ａ４を有し、指先のより広い範囲を装飾することが可能である。
また、装飾範囲を広げているが、最延設部ＴＬ、ＴＲが適度な長さに抑えてあり（指の第１関節の近傍まで）、第１関節を曲げても指の甲面側にネイルアクセサリー１が突出しないので、ネイルアクセサリー１が指先から脱落しにくい。
【００２４】
本考案のネイルアクセサリー１は、本実施の形態で説明した外観、形状、構造等に限定されず、本考案の要旨を変更しない範囲で種々の変更、追加、削除が可能である。
また、ネイルアクセサリー１の装飾は、本実施の形態にて示した装飾に限定されず、種々の装飾を、種々のデザインで施すことができる。
また、本実施の形態にて説明したネイルアクセサリー１は、ベース部材１０を弾性体で形成しているので、いずれの指に装着してもフィット感を得ることが可能である。例えばネイルアクセサリー１が１種類のサイズであっても、いずれの指にもフィットさせることが可能である。
【符号の説明】
【００２５】
１        ネイルアクセサリー
１０      ベース部材
Ａ１      ネイル領域部
Ａ１Ｍ    裏面
Ａ２      甲面拡大領域部
Ａ３、Ａ４  側面拡大領域部
ＴＬ、ＴＲ  最延設部
【図１】
0003163013.tif 000003
【図２】
0003163013.tif 000004
【図３】
0003163013.tif 000005